(57)【特許請求の範囲】
【請求項１】
電力を供給する電源システムであって、
防水ケース部を有する本体部材と、
充電可能な二次電池と、
自然エネルギー発電装置から電力を受ける入力接続部と、
前記入力接続部を介して受けた電力を用いて前記二次電池を充電する充電回路部と、
外部装置に対して電力を出力する出力接続部と、
前記二次電池から供給された電力を前記出力接続部を介して出力する出力回路部と、
前記防水ケース部内の気体を排気する排気手段と、を備え、
前記防水ケース部は、上側ボックスと、下側ボックスと、前記上側ボックスと前記下側ボックスとを連通するパイプとを有し、
前記上側ボックスは、前記充電回路部を収容し、その側端部に前記入力接続部及び前記出力接続部が設けられ、
前記下側ボックスは、前記二次電池と前記出力回路部とを収容し、その側端部に前記排気手段が設けられ、
前記入力接続部及び前記出力接続部は、外気を取り込む通気口と上方からの雨の侵入を防止する防雨カバーとを有し、
前記排気手段は、前記下側ボックスの壁部に形成された排気口を介して前記下側ボックス内の気体を排気する排気ファンと、前記排気口及び前記排気ファンを上側から覆う排気カバーと、前記排気ファンを駆動する個別電源として用いられるように前記排気カバーの外面に設けられた太陽光発電部材とを有することを特徴とするものである電源システム。
【請求項２】
請求項１の電源システムにおいて、
前記自然エネルギー発電装置として、太陽光発電装置又は風力発電装置を更に備えることを特徴とする電源システム。
【請求項３】
請求項１又は２の電源システムにおいて、
前記充電回路部は、商用電源、非常用発電機又は車両内の二次電池から受けた電力を用いて前記二次電池を充電可能に構成されていることを特徴とする電源システム。
【請求項４】
請求項１、２又は３の電源システムにおいて、
前記本体部材の複数の下端角部それぞれに取り付けられた複数の移動用車輪と、前記複数の移動用車輪の間に設けられ前記本体部材の設置面上への固定及びその解除を操作可能な固定手段とを更に備えることを特徴とする電源システム。
【請求項５】
Ｘ線を発生するＸ線発生装置と、前記Ｘ線発生装置から発生して被検査対象を通過したＸ線の画像を撮像するＸ線受像装置と、前記Ｘ線発生装置及びＸ線受像装置に電力を供給する電力供給手段とを備えた医用Ｘ線システムであって、
前記電力供給手段は、請求項１、２、３又は４の電源システムであることを特徴とする医用Ｘ線システム。
【請求項６】
請求項５の医用Ｘ線システムにおいて、
前記電源システムの本体部材は、移動用車輪を有し、
前記Ｘ線発生装置は、移動用車輪を有する支持部材に支持され、
前記Ｘ線受像装置は、可搬式のＸ線受像器を備えることを特徴とする医用Ｘ線システム。
【発明の詳細な説明】
【技術分野】
【０００１】
本発明は、商用電源の停電時や電圧降下などの電源不安定時においても電力を供給できる電源システム及びそれを備えた医用Ｘ線システムに関するものである。
【背景技術】
【０００２】
従来、小型発電機、太陽電池、燃料電池などから供給した電力を用いて二次電池を充電し、充電された二次電池からＸ線装置に電力を供給する電源装置が知られている（特許文献１参照）。
【発明の概要】
【発明が解決しようとする課題】
【０００３】
しかしながら、上記従来の電源装置では、災害現場で洪水や津波などが発生して二次電池やその周辺の回路部への浸水があった場合に電源供給ができなくなるおそれがある。
【０００４】
本発明は以上の問題点に鑑みなされたものであり、その目的は、商用電源の長期間にわたる停電発生時や電圧降下などの電源不安定時においても電力を供給することができるとともに防水機能を有する電源システム及びそれを備えた医用Ｘ線システムを提供することである。
【課題を解決するための手段】
【０００５】
上記目的を達成するために、請求項１の発明は、電力を供給する電源システムであって、防水ケース部を有する本体部材と、充電可能な二次電池と、自然エネルギー発電装置から電力を受ける入力接続部と、前記入力接続部を介して受けた電力を用いて前記二次電池を充電する充電回路部と、外部装置に対して電力を出力する出力接続部と、前記二次電池から供給された電力を前記出力接続部を介して出力する出力回路部と、前記防水ケース部内の気体を排気する排気手段と、を備え、前記防水ケース部は、上側ボックスと、下側ボックスと、前記上側ボックスと前記下側ボックスとを連通するパイプとを有し、前記上側ボックスは、前記充電回路部を収容し、その側端部に前記入力接続部及び前記出力接続部が設けられ、前記下側ボックスは、前記二次電池と前記出力回路部とを収容し、その側端部に前記排気手段が設けられ、前記入力接続部及び前記出力接続部は、外気を取り込む通気口と上方からの雨の侵入を防止する防雨カバーとを有し、前記排気手段は、前記下側ボックスの壁部に形成された排気口を介して前記下側ボックス内の気体を排気する排気ファンと、前記排気口及び前記排気ファンを上側から覆う排気カバーと、前記排気ファンを駆動する個別電源として用いられるように前記排気カバーの外面に設けられた太陽光発電部材とを有することを特徴とするものである。
請求項１の電源システムでは、太陽光や風力などの自然エネルギーを利用して発電する自然エネルギー発電装置から入力接続部を介して受けた電力を用いて、充電回路部により二次電池を充電する。そして、出力回路部により、二次電池から出力された電力を、出力接続部を介して外部装置に供給することができる。従って、商用電源の長期間にわたる停電発生時や電圧降下などの電源不安定時においても外部装置に電力を供給することができる。しかも、二次電池と充電回路部と出力回路部とを、本体部材に備える防水ケース部に収容しているので、前記二次電池などへの浸水を防止することができる。更に、太陽光を利用可能なときに排気ファンが動作し、二次電池が収容された防水ケース部内の気体を排気することができる。従って、外部電源を利用せずに、防水ケース部内の冷却したり、二次電池から発生した防水ケース部内の気体による回路の損傷などを防止したりすることができる。
また、請求項２の発明は、請求項１の電源システムにおいて、前記自然エネルギー発電装置として太陽光発電装置又は風力発電装置を更に備えることを特徴とするものである。この電源システムでは、自然エネルギー発電装置が設置されていない現場においても、太陽光や風力を利用して発電した電力を用いて二次電池を充電して外部装置に電力を供給することができる。
また、請求項３の発明は、請求項１又は２の電源システムにおいて、前記充電回路部は、商用電源、エンジン発電機又は車両内の二次電池から受けた電力を用いて前記二次電池を充電可能に構成されていることを特徴とするものである。この電源システムでは、商用電源、エンジン発電機又は車両内の二次電池を利用可能な場所において、その商用電源等から受けた電力を利用して二次電池を充電することができるので、二次電池の充電に用いる電源の多様化を図ることができる。
また、請求項４の発明は、請求項１、２又は３の電源システムにおいて、前記本体部材の複数の下端角部それぞれに取り付けられた複数の移動用車輪と、前記複数の移動用車輪の間に設けられ前記本体部材の設置面上への固定及びその解除を操作可能な固定手段とを更に備えることを特徴とするものである。
また、請求項５の発明は、Ｘ線を発生するＸ線発生装置と、前記Ｘ線発生装置から発生して被検査対象を通過したＸ線の画像を撮像するＸ線受像装置と、前記Ｘ線発生装置及びＸ線受像装置に電力を供給する電力供給手段とを備えた医用Ｘ線システムであって、前記電力供給手段は、請求項１、２、３又は４の電源システムであることを特徴とするものである。この医用Ｘ線システムでは、商用電源の長期間にわたる停電発生時や電圧降下などの電源不安定時において浸水の可能性がある現場でもＸ線発生装置及びＸ線受像装置に電力を供給し、Ｘ線を用いた診断や医療行為などを行うことができる。
また、請求項６の発明は、請求項５の医用Ｘ線システムにおいて、前記電源システムの本体部材は、移動用車輪を有し、前記Ｘ線発生装置は、移動用車輪を有する支持部材に支持され、前記Ｘ線受像装置は、可搬式のＸ線受像器を備えることを特徴とするものである。この医用Ｘ線システムでは、電源システムとともにＸ線発生装置とＸ線受像装置のＸ線受像器とを任意の現場に容易に移動させることができるため、Ｘ線を用いた診断や医療行為などを行う現場についての制約を低減できる。
【発明の効果】
【０００６】
本発明によれば、商用電源の長期間にわたる停電発生時や電圧降下などの電源不安定時においても電力を供給することができるとともに防水機能を有する電源システム及びそれを備えた移動型医用Ｘ線システムを提供することができる。
【図面の簡単な説明】
【０００７】
【図１】（ａ）及び（ｂ）はそれぞれ、本発明の実施形態に係る電源システムの一構成例を示す正面図及び側面図。
【図２】（ａ）及び（ｂ）はそれぞれ、本実施形態の電源システムを構成する電源台車に設けられた防水ケース部の内部構成の一例を示す透視正面図及び透視側面図。
【図３】本実施形態の電源システムの電装系の一構成例を示すブロック図。
【図４】本実施形態の電源システムを備える医用Ｘ線システムの全体構成の一例を示す外観図。
【発明を実施するための形態】
【０００８】
以下、図面を参照して本発明の実施形態を説明する。
図１（ａ）は本発明の実施形態に係る電源システムを構成する電源台車１００の一構成例を示す正面図である。図１（ｂ）は図１（ａ）の右方向から見た電源台車１００の側面図である。
図１において、本実施形態に係る移動型の電源台車１００は、本体部材である台車フレーム１１０と、台車フレーム１１０の下端角部の４箇所それぞれに取り付けられた移動用車輪としての固定キャスター１２１、１２２及び自在キャスター（旋回キャスター）１２３、１２４と、自在キャスター１２３、１２４の間に設けられた台車固定手段としてのハンマーロック１３０とを備えている。固定キャスター１２１、１２２は旋回せずに車輪だけが回転し、自在キャスター１２３、１２４は車輪が回転するとともに鉛直方向の旋回軸を中心にして自由に旋回することができる。また、ハンマーロック１３０は、自在キャスター１２３、１２４の車輪を設置面ＧＬ（地面、路面、床面など）から若干浮き上がらせるとともに、設置面９００を所定の圧力で押圧してグリップすることにより、電源台車１００の台車フレーム１１０を確実にロックすることができる。ハンマーロック１３０によるロック及びその解除は、利用者が足でハンマーロック１３０のレバー１３０ａを踏む操作により容易に行うことができる。また、台車フレーム１１０の上端の一側部には、電源台車１００の移動時に利用者が掴んで操作することができる操作ハンドル１１１が設けられている。
【０００９】
電源台車１００の台車フレーム１１０は、防水機能を有する収容部材である防水ケース部１４０を備えている。防水ケース部１４０は、上側ボックス１４１と、下側ボックス１４２と、それらを連通する通線パイプ１４３とを有する。
【００１０】
上側ボックス１４１の側端部には、後述の電力入力コネクタ１６１ａ，１６７、ＡＣタップ１６３等を有する入出力接続部１４４が設けられている。入出力接続部１４４は、外部の太陽光発電装置などの自然エネルギー発電装置又は車両内の二次電池からの出力ケーブルが接続され当該自然エネルギー発電装置又は車両内の二次電池からから電力を受ける入力接続部としての機能と、Ｘ線装置などの外部装置の電源ケーブルが接続され当該外部装置に対して電力を出力する出力接続部としての機能とを有する。更に、入出力接続部１４４は、図示しない通気口を介して図中矢印Ｆ１方向から防水ケース部１４０内に外気を取り込む機能と、上方からの雨の侵入を防雨カバー１４４ａで防止する防雨機能とを有する。
【００１１】
また、下側ボックス１４２の側端部には、防水ケース部１４０内の回路を冷却する気流を発生させるとともに、バッテリーユニット１５０から発生した気体を外部に排出できるように、防水ケース部１４０内の気体を図中矢印Ｆ２方向に排気するための排気手段としてのソーラーファン１４５を備えている。ソーラーファン１４５は、下側ボックス１４２の上部側壁に形成された排気口を介して防水ケース部１４０内の気体を排気する排気ファンと、その排気口及び排気ファンを上側から覆う防雨機能を有する排気カバーと、排気ファンを駆動する個別専用電源として用いられるように排気カバーの外面に設けられた太陽光発電部材としての小型ソーラーパネルとを含む。ソーラーファン１４５は、外部からの電源供給が不要であり、そのソーラーファン１４５の小型ソーラーパネルに太陽光があたっているときのみに動作する。なお、ソーラーファン１４５の下端の位置は、例えば電源台車１００の使用される現場で想定される浸水の高さ（例えば地上高５０ｃｍ）よりも高い位置に設定される。
【００１２】
また、上側ボックス１４１の上端面には、後述のＸ線受像装置の一部を構成する画像処理・表示手段としてのノートパソコンなどの携帯型コンピュータ装置２４０が載置される天井板１４６が設けられている。天井板１４６は、上側ボックス１４１の上端部から適宜取り外し可能である。
【００１３】
図２（ａ）は本発明の実施形態に係る電源システムを構成する電源台車１００に設けられた防水ケース部１４０の内部構成の一例を示す透視正面図である。図２（ｂ）は図２（ａ）の右方向から見た防水ケース部１４０の内部構成の透視側面図である。図３は、本実施形態の電源システムの防水ケース部１４０に収容された電装系の一構成例を示すブロック図である。
【００１４】
図２及び図３に示すように、防水ケース部１４０の上側ボックス１４１には、操作インターフェース部１６１と充電制御手段としてのパワーコントローラ１６２とが収容され、上側ボックス１４１の入出力接続部１４４に電力入力コネクタ１６１ａ，１６７及びＡＣタップ１６３等が設けられている。電力入力コネクタ１６１ａには、ソーラーパネル１７３の出力ケーブル１７４が接続され、電力入力コネクタ１６７には商用電源３００の電源ケーブル３０１が接続される。また、ＡＣタップ１６３には、Ｘ線装置を構成するＸ線発生装置２２０の電源ケーブル２２１や、Ｘ線受像装置のコンピュータ装置２４０の電源ケーブル２４１が接続される。
【００１５】
下側ボックス１４２には、二次電池（充電式電池）としてのバッテリーユニット１５０と、安定化電源１６４と、インバーターユニット１６５と、保護抵抗１６６とが収容されている。バッテリーユニット１５０としては、例えば、ニッケル水素蓄電池、リチウムイオン蓄電池、ＮａＳ蓄電池、鉛蓄電池などを用いることができる。また、図示の例では、下側ボックス１４２内の最下部領域に重いバッテリーユニット１５０を配置しているため、電源台車１００の全体の重心が低くなり、電源台車１００を安定して設置することができる。
【００１６】
安定化電源１６４は、商用電源３００等の外部交流電源から入力された家庭用１００Ｖ（又は２００Ｖ）などの商用電源の交流電圧を所定電圧の直流電圧に変換し、給電切替スイッチ１６１ｃに向けて出力する。インバーターユニット１６５は、バッテリーユニット１５０とＡＣタップ１６３との間に設けられ、バッテリーユニット１５０から出力された直流電圧を所定電圧の交流電圧に変換し、ＡＣタップ１６３に向けて出力する。
【００１７】
保護抵抗１６６は、数Ω以下の低抵抗（例えば０．５Ω〜１Ω）の抵抗素子で構成され、商用電源から安定化電源１６４を介してバッテリーユニット１５０を充電している充電動作時において何らかの原因（例えば、パワーコントローラ１６２の充電出力の負荷変動）でパワーコントローラ１６２の充電入力の端子に大きな電流が流れ込もうとするときに、その過剰電流を防止して安定化電源１６４を保護するものである。
【００１８】
電力入力コネクタ１６１ａは、太陽光発電装置や風力発電装置等の自然エネルギー発電装置の出力ケーブル１７４が接続され、当該自然エネルギー発電装置から直流の電力を受ける入力接続部として機能する。なお、電力入力コネクタ１６１ａには、ガソリンエンジン自動車や電気モータ自動車などの車両内の二次電池、燃料電池、直流出力可能な非常用電源などから直流の電力を受けるように当該車両内の二次電池や他の燃料電池からの出力ケーブルを接続してもよい。
【００１９】
また、操作インターフェース部１６１及びパワーコントローラ１６２は、電力入力コネクタ１６１ａを介して受けた直流の電力を用いてバッテリーユニット１５０を充電する充電回路部として機能する。また、安定化電源１６４、操作インターフェース部１６１及びパワーコントローラ１６２は、商用電源３００から受けた交流の電力を用いてバッテリーユニット１５０を充電する充電回路部として機能する。なお、交流の電力を用いる充電には、商用電源３００のほか、燃料油（例えば、ガソリン、軽油、重油）やガス（例えば、プロパンガス、都市ガス、家庭用ガスカートリッジのガス）を用いた熱機関（エンジン）を用いた発電機、携帯発電機等の非常用発電機から受けた交流の電力を用いてもよい。また、ＡＣタップ１６３及びインバーターユニット１６５は、Ｘ線装置（Ｘ線発生装置、Ｘ線受像装置）などの外部装置に対して電力を出力する出力回路部として機能する。
【００２０】
図３において、操作インターフェース部１６１の主電源スイッチとしてのシステムスイッチ１６１ｂをオンすると、パワーコントローラ１６２により所定の電圧及び電流でバッテリーユニット１５０を充電することができる。また、給電切替スイッチ１６１ｃを操作することにより、バッテリーユニット１５０の充電に用いる電力の供給元として、直流の電力を供給する自然エネルギー発電装置又は車両内の二次電池（図示の例では太陽光発電装置のソーラーパネル１７３）と、交流の電力を供給する商用電源３００とを切り替えることができる。交流の電力を供給する供給元としては、商用電源３００に代えて、前述の熱機関（エンジン）を用いた発電機、携帯発電機等の非常用発電機を用いてもよい。パワーコントローラ１６２によるバッテリーユニット１５０の充電の状況は、操作インターフェース部１６１の充電モニタ１６１ｄで確認したり監視したりすることができる。
【００２１】
以上、本実施形態の電源システムによれば、商用電源の長期間にわたる停電発生時や電圧降下などの電源不安定時においてもＸ線装置（Ｘ線発生装置、Ｘ線受像装置）などの外部装置に電力を供給することができる。しかも、上記バッテリーシステム１５０と充電回路部と出力回路部とを防水ケース部１４０に収容しているので、上記バッテリーシステム１５０などへの浸水を防止することができる。
【００２２】
また、本実施形態の電源システムによれば、太陽光発電装置や風力発電装置等の自然エネルギー発電装置のほか、商用電源３００、熱機関（エンジン）を用いた発電機、携帯発電機等の非常用発電機、燃料電池、車両内の二次電池などの外部電源から受けた電力を用いてバッテリーシステム１５０を充電することができる。従って、バッテリーシステム１５０の充電に用いる電源の多様化を更に図ることができる。
【００２３】
また、本実施形態の電源システムによれば、排気ファンとその排気ファンを駆動する小型ソーラーパネルとを有するソーラーファン１４５により、防水ケース部１４０内の気体を排気することができる。従って、外部電源を用いることなく、防水ケース部１４０内を冷却したり、バッテリーシステム１５０から発生した防水ケース部１４０内の気体による回路の損傷などを防止したりすることができる。
【００２４】
図４は、本実施形態の電源システムを備える医用Ｘ線システムの全体構成の一例を示す外観図である。図４において、本実施形態の医用Ｘ線システムは、上記構成の電源台車１００及び移動可能な太陽光発電装置１７０を含む電源システムと、移動可能なＸ線装置２００とを備える。
【００２５】
太陽光発電装置１７０は、ベース部材１７１と、パネル支持部材としての支持スタンド１７２と、太陽光発電部材としてのソーラーパネル１７３とを備え、設置面９００上で移動できるように構成されている。ベース部材１７１は、複数の移動用車輪としてのキャスターを有している。支持スタンド１７２の下端部はベース部材１７１の略中央に取り付けられ、支持スタンド１７２の上端部にはソーラーパネル１７３が所定の角度で取り付けられている。ソーラーパネル１７３の出力ケーブル１７４は、前述の電源台車１００の入出力接続部１４４に接続される。
【００２６】
Ｘ線装置２００は、可動式の支持装置２１０とＸ線発生装置２２０とＸ線受像装置とを備え、設置面９００上で移動できるように構成されている。支持装置２１０は、Ｘ線発生装置２２０を支持する装置であり、ベース部材２１１と、昇降可能な支持スタンド２１２と、支持アーム２１３とを備える。ベース部材２１１は、複数の移動用車輪としてのキャスターを有している。支持スタンド２１２は、固定スタンド部２１２ａと昇降スタンド部２１２ｂと昇降操作部２１２ｃとを有する。固定スタンド部２１２ａの下端部はベース部材２１１の略中央に取り付けられ、昇降スタンド部２１２ｂは、昇降操作部２１２ｃを回転させることにより固定スタンド部２１２ａに沿って昇降可能に構成されている。支持アーム２１３の一方の端部は昇降スタンド部２１２ｂの上端部に取り付けられ、支持アーム２１３のもう一方の端部はＸ線発生装置２２０が取り付けられている。支持スタンド２１２の昇降操作部２１２ｃを回転させることにより、昇降スタンド部２１２ｂ及び支持アーム２１３とともに、Ｘ線発生装置２２０を昇降させて所定の位置に位置決めすることができる。Ｘ線発生装置２２０の電源ケーブル２２１は、前述の電源台車１００の入出力接続部１４４に接続される。
【００２７】
Ｘ線受像装置は、Ｘ線受像部材としての可搬型のＸ線受像フラットパネル２３０と、Ｘ線画像の画像処理・表示手段としての携帯型のコンピュータ装置２４０とを備える。Ｘ線受像フラットパネル２３０は、Ｘ線装置２００の使用時に、Ｘ線発生装置２２０のＸ線照射方向の所定位置に設置され、所定のケーブル２３１を介してコンピュータ装置２４０に接続される。コンピュータ装置２４０は、Ｘ線受像フラットパネル２３０に電力を供給したりＸ線受像フラットパネル２３０を制御したりＸ線受像フラットパネル２３０で撮像されたＸ線画像の信号又はデータを受信して表示したりすることができる。コンピュータ装置２４０の電源ケーブル２４１は、前述の電源台車１００の入出力接続部１４４に接続される。
【００２８】
以上、本実施形態の医用Ｘ線システムによれば、商用電源の長期間にわたる停電発生時や電圧降下などの電源不安定時において浸水の可能性がある現場でもＸ線発生装置２２０及びＸ線受像装置（Ｘ線受像フラットパネル２３０及びコンピュータ装置２４０）に電力を供給し、Ｘ線を用いた診断や医療行為などを行うことができる。
【００２９】
特に、本実施形態の医用Ｘ線システムによれば、災害時医療の分野において、以下に示すようなメリットを有する。
災害時医療のなかで、トリアージは不可欠な手法であり、限られた医療資源を最大限に活用して、救助可能な傷病者を確実に救い、ひとりでも多くの人の生命を救うためのものである。そのトリアージの適正な実施や、搬送先医療機関および搬送手段の適切な選定するうえで、災害時の救護所等におけるＸ線撮影は、非常に大きな役割を担っている（厚労省医政指発第０１０７００３号、平成２１年１月７日）。しかし、災害時に電源設備が損傷を受けた場合、Ｘ線装置に電力を供給できずＸ線撮影が行えないことがあり重大な課題となっている。また、災害時は、救護所など通常はＸ線撮影を行わない場所で撮影することが多く、または損壊した雨漏りや浸水が発生するような建屋でＸ線装置を使用することも想定され、さらに建屋全壊に伴い屋外等でＸ線撮影されることもある。
【００３０】
このような昨今の災害に対する国民の関心は非常に高く防災や減災などに対する要望が大きい状況の下で、本実施形態の医用Ｘ線システムによれば、災害時の電源設備損傷においてもＸ線撮影可能なＸ線装置を稼働できるように、電源の多種多様化を図ることができ、災害時のトリアージ等に大いに貢献でき、災害時医療において極めて有用である。
【００３１】
実際に本実施形態の医用Ｘ線システムを使用したところ、胸部Ｘ線撮影の条件において、連続した１５００回の照射でもＸ線の出力が安定していることを確認することができた。
【００３２】
しかも、本実施形態の医用Ｘ線システムに用いる電源システムでは、防水機能（例えばＩＥＣ（国際電気標準会議）やＪＩＳ（日本工業規格）で規定されているＩＰｘ２以上またはＩＰｘ３以上の保護等級の防滴防雨形の防水機能）を有している。従って、雨天時の屋外等や津波などによる例えば地上高５０ｃｍ程度までの浸水等へも対応が可能であり、医用Ｘ線システムの維持及び保守管理にも有用である。
【００３３】
また、本実施形態の医用Ｘ線システムは、災害時のみならず、発展途上国など電源事情の悪い地域でも活用できると考えられるため、本発明は、途上国等の医療向上にも大きく貢献できる。
【００３４】
また、本実施形態の医用Ｘ線システムによれば、上記構成の移動型の電源システムとともに、移動型のＸ線発生装置２２０と可搬式のＸ線受像装置（Ｘ線受像フラットパネル２３０及びコンピュータ装置２４０）とを備えることにより、任意の現場に容易に移動させることができるため、Ｘ線を用いた診断や医療行為などを行う現場についての制約を低減できる。
【００３５】
また、本実施形態の医用Ｘ線システムにおける電源システムは、バッテリーユニット１５０を充電するために自然エネルギー発電装置として移動可能な太陽光発電装置１７０を備えているので、自然エネルギー発電装置が設置されていない現場においても、太陽光を利用して発電した電力を用いてバッテリーユニット１５０を充電して外部装置に電力を供給することができる。
【００３６】
なお、本実施形態の医用Ｘ線システムにおける電源システムでは、太陽光発電装置１７０に代えて又は太陽光発電装置１７０に加えて、移動型の風力発電装置又は車両内の二次電池を利用してバッテリーユニット１５０を充電するように構成してもよい。また、使用現場に固定設置されている太陽光発電装置や風力発電装置などの自然エネルギー発電装置を利用できる場合は、移動型の太陽光発電装置１７０や風力発電装置等の自然エネルギー発電装置を用いずに、固定設置の自然エネルギー発電装置を利用してバッテリーユニット１５０を充電してもよい。
【符号の説明】
【００３７】
１００  電源台車
１１０  台車フレーム
１１１  操作ハンドル
１２１，１２２  固定キャスター
１２３，１２４  自在キャスター
１３０  ハンマーロック
１３０ａ  レバー
１４０  防水ケース部
１４１  上側ボックス
１４２  下側ボックス
１４３  通線パイプ
１４４  入出力接続部
１４４ａ  防雨カバー
１４５  ソーラーファン
１４６  天井板
１５０  バッテリーユニット
１６１  操作インターフェース部
１６１ａ  電力入力コネクタ
１６１ｂ  システムスイッチ
１６１ｃ  給電切替スイッチ
１６１ｄ  充電モニタ
１６２  パワーコントローラ
１６３  ＡＣタップ
１６４  安定化電源
１６５  インバーターユニット
１６６  保護抵抗
１６７  電力入力コネクタ
１７０  太陽光発電装置
１７１  ベース部材
１７２  支持スタンド
１７３  ソーラーパネル
１７４  出力ケーブル
２００  Ｘ線装置
２１０  支持装置
２１１  ベース部材
２１２  支持スタンド
２１２ａ  固定スタンド部
２１２ｂ  昇降スタンド部
２１２ｃ  昇降操作部
２１３  支持アーム
２２０  Ｘ線発生装置
２２１  電源ケーブル
２３０  Ｘ線受像フラットパネル
２３１  ケーブル
２４０  コンピュータ装置
２４１  電源ケーブル
３００  商用電源
３０１  電源ケーブル
９００  設置面
【先行技術文献】
【特許文献】
【００３８】
【特許文献１】特開２００４−０２２３０８号公報
【図１】
0006488455.tif 000002
【図２】
0006488455.tif 000003
【図３】
0006488455.tif 000004
【図４】
0006488455.tif 000005